(57)【要約】【課題】劣化因子が伝わることによる発光性能の低下抑制、および、小型化を図ること。【解決手段】自発光素子が表示エリア２０１内に設けられた支持基板１０１と、当該支持基板１０１との間に自発光素子を外気から遮断する封止領域を形成する封止基材と、を接着する接着剤１０５が塗布される接着領域２０２から表示エリア２０１までの支持基板１０１上における距離が大きいほど、表示エリア２０１までの最短距離方向に沿った寸法が小さくなるような接着領域２０２を備える自発光パネル１００とすることで、支持基板１０１上において表示エリア２０１までの距離が大きい場所については、接着領域２０２における幅方向に沿った寸法を小さくすることで、劣化因子が伝わることによる発光性能の低下を抑制するとともに、狭額縁化を図ることができる。【選択図】        図２
2006244773.tif 000002
【特許請求の範囲】
【請求項１】
電極対の間に発光層を有する自発光素子が表示エリア内に設けられた支持基板と、
当該支持基板との間に前記自発光素子を外気から遮断する封止領域を形成する封止基材と、
前記支持基板上において前記表示エリアまでの距離が大きいほど前記表示エリアまでの最短距離方向（以下「幅方向」という）に沿った寸法が小さくなるように設けられた接着領域と、
前記接着領域に塗布されて前記支持基板と前記封止基材とを接着する接着剤と、
を備えることを特徴とする自発光パネル。
【請求項２】
前記表示エリアは、多角形状を有しており、
前記接着領域の幅方向に沿った寸法は、前記表示エリアの各辺に対応してそれぞれ設定されていることを特徴とする請求項１に記載の自発光パネル。
【請求項３】
前記表示エリアは、外形が曲線によって表される形状を有しており、
前記接着領域は、前記表示エリアの端部からの最短距離に基づいて幅方向に沿った寸法が設定されることで曲線によって表される形状を有することを特徴とする請求項１に記載の自発光パネル。
【請求項４】
前記自発光素子は、有機ＥＬ素子であることを特徴とする請求項１〜３のいずれか一つに記載の自発光パネル。
【請求項５】
電極対の間に発光層を有する自発光素子が表示エリア内に設けられた支持基板と、前記自発光素子を外気から遮断する封止領域を前記支持基板との間に形成する封止基材と、を接着剤を介して接着した自発光パネルの製造方法において、
前記支持基板上において、前記表示エリアまでの距離が大きいほど前記表示エリアまでの最短距離方向（以下「幅方向」という）に沿った寸法が小さくなるように、前記接着剤を塗布する接着領域の形状を調整するようにしたことを特徴とする自発光パネルの製造方法。
【請求項６】
前記表示エリアは、多角形状を有しており、
前記表示エリアの各辺に対応して、前記接着領域の幅方向に沿った寸法をそれぞれ設定するようにしたことを特徴とする請求項５に記載の自発光パネルの製造方法。
【請求項７】
前記表示エリアは、外形が曲線によって表される形状を有しており、
前記表示エリアの端部からの最短距離に基づいて幅方向に沿った寸法を設定することで前記接着領域の形状が曲線によって表される形状となるように調整することを特徴とする請求項５に記載の自発光パネルの製造方法。
【請求項８】
前記支持基板と前記封止基材とを接着する前に、前記接着剤を塗布する形状を調整することで前記接着領域の形状を調整するようにしたことを特徴とする請求項５〜７のいずれか一つに記載の自発光パネルの製造方法。
【請求項９】
前記支持基板と前記封止基材とを接着した後に、前記支持基板と前記封止基材との接着方向に沿って前記接着剤を切断することで前記接着剤を塗布する接着領域の形状を調整するようにしたことを特徴とする請求項５〜７のいずれか一つに記載の自発光パネルの製造方法。
【請求項１０】
前記接着剤の切断に、スクライブを用いるようにしたことを特徴とする請求項９に記載の自発光パネルの製造方法。
【請求項１１】
前記自発光素子は、有機ＥＬ素子であることを特徴とする請求項５〜１０のいずれか一つに記載の自発光パネルの製造方法。
【発明の詳細な説明】
【技術分野】
【０００１】
この発明は、自発光パネルおよび自発光パネルの製造方法に関する。
【背景技術】
【０００２】
たとえば、各種の情報機器の表示ディスプレイや発光素子などにおいては、有機エレクトロルミネッセンス（Ｅｌｅｃｔｒｏ  Ｌｕｍｉｎｅｓｃｅｎｃｅ：以下、ＥＬと略す）素子を利用した自発光パネルが用いられるようになってきている。
【０００３】
有機ＥＬ素子では、外気に含まれる水分などが、有機ＥＬ素子を劣化させる劣化因子として想定される。このような劣化因子から有機ＥＬ素子の劣化を防ぐため、有機ＥＬ素子を外気から遮断する各種の封止方法がある。
【０００４】
その一つに、有機ＥＬ素子が設けられた基板に、当該基板との間に有機ＥＬ素子を外気から遮断する封止空間を形成するような封止基材を対向配置する気密封止法がある（たとえば、下記特許文献１参照。）。気密封止法は、有機ＥＬ素子を利用した自発光パネルを、簡単かつ低コストで製造することができる。
【０００５】
気密封止法を用いて自発光素子を封止した自発光パネルにおいては、支持基板と封止基材とを、接着剤を介して接着する。これにより、封止空間内への劣化因子の入り込み防止を図るようにしている。
【０００６】
【特許文献１】特開２００２−２９７０６４号公報
【発明の開示】
【発明が解決しようとする課題】
【０００７】
しかしながら、上述した特許文献１に記載された技術を含む従来の技術では、劣化因子が接着剤中を伝わって封止空間内に入り込んでしまうことがある。封止空間内に入り込んだ劣化因子が、支持基板の表面を伝わって自発光素子に到達すると、自発光素子の発光性能が劣化してしまうという問題があった。
【０００８】
この対策として、接着剤を塗布する領域（接着領域）を広くすることで、劣化因子が接着剤を伝わって封止空間に入り込むまでの時間を稼ぐことが考えられるが、支持基板上のスペースは限られている。以降、固体封止や膜封止を利用して自発光素子を封止した場合に自発光素子の周囲に形成される封止領域と同様に、気密封止法を利用して自発光素子を封止した場合に自発光素子の周囲に形成される封止空間も含めて、封止領域とする。
【０００９】
特に、小型の自発光パネルでは、接着剤を塗布する領域を広くすることで、自発光素子と接着剤との距離が短くなると、一旦劣化因子が封止領域内に入り込んだ場合には自発光素子の劣化が著しくなってしまう。同様に、小型の自発光パネルでは、接着剤を塗布する領域を広くすることで、支持基板上における接着領域の占める割合が多くなると、支持基板上の限られたスペースを有効に活用することができなくなってしまう。すなわち、接着剤を塗布する領域を広くすることは、自発光パネルの小型化における障害となってしまうという問題があった。
【００１０】
そこで、本発明は、このような問題に対処することを課題の一例とするものである。すなわち、劣化因子が伝わることによる発光性能の低下を抑制するとともに、自発光パネルの小型化を図ることなどを目的とする。
【課題を解決するための手段】
【００１１】
上述した課題を解決し、目的を達成するため、請求項１の発明にかかる自発光パネルは、電極対の間に発光層を有する自発光素子が表示エリア内に設けられた支持基板と、当該支持基板との間に前記自発光素子を外気から遮断する封止領域を形成する封止基材と、前記支持基板上において前記表示エリアまでの距離が大きいほど前記表示エリアまでの最短距離方向（以下「幅方向」という）に沿った寸法が小さくなるように設けられた接着領域と、前記接着領域に塗布されて前記支持基板と前記封止基材とを接着する接着剤と、を備えることを特徴とする。
【００１２】
また、請求項５の発明にかかる自発光パネルの製造方法は、電極対の間に発光層を有する自発光素子が表示エリア内に設けられた支持基板と、前記自発光素子を外気から遮断する封止領域を前記支持基板との間に形成する封止基材と、を接着剤を介して接着した自発光パネルの製造方法において、前記支持基板上において、前記表示エリアまでの距離が大きいほど前記表示エリアまでの最短距離方向（以下「幅方向」という）に沿った寸法が小さくなるように、前記接着剤を塗布する接着領域の形状を調整するようにしたことを特徴とする。
【発明を実施するための最良の形態】
【００１３】
以下に添付図面を参照して、この発明にかかる自発光パネルおよび自発光パネルの製造方法の好適な実施の形態を詳細に説明する。
【００１４】
（実施の形態１）
（自発光パネルの概略構成）
図１は、本実施の形態１における自発光パネルを示す縦断側面図である。本実施の形態１における自発光パネル１００は、支持基板１０１と、自発光素子１０２と、封止基材１０３と、乾燥剤１０４と、接着剤１０５と、を備えている。
【００１５】
本実施の形態１における自発光パネル１００は、自発光素子１０２を用いた表示装置である。自発光パネル１００は、たとえば、携帯電話、車載用モニタ、家電の操作パネル、ＰＣやテレビなどのドットマトリックスのディスプレイパネルとして利用される。他に、自発光パネル１００は、たとえば、時計や宣伝用パネルの固定表示ディスプレイ、スキャナやプリンタの光源、照明、オーロラビジョンなどの野外用ディスプレイ、液晶のバックライトなどとして利用される。
【００１６】
自発光パネル１００は、小型用からオーロラビジョンなどの大型用など各種のサイズの表示装置に適用することができる。詳細な図示は省略するが、本実施の形態１の自発光パネル１００としては、ドットマトリックス状に配列された複数の自発光素子１０２のそれぞれによって個々のドットが実現されるものも含む。
【００１７】
支持基板１０１を形成する材料としては、たとえば、ガラス、金属またはＴＰＦＴ（テトラポリフルオロエチレン）などの樹脂がある。自発光素子１０２が、支持基板１０１側から光を取り出すＢｏｔｔｏｍ  Ｅｍｉｓｓｉｏｎ構造あるいは支持基板１０１側とその反対側との両側から光を取り出すＴＯＬＥＤ構造の有機ＥＬ素子である場合、支持基板１０１は、透明性に優れたガラスや樹脂などによって形成されている。
【００１８】
たとえば、自発光素子１０２が、支持基板１０１側とは反対側から光を取り出すＴｏｐ  Ｅｍｉｓｓｉｏｎ構造の有機ＥＬ素子である場合、支持基板１０１を形成する材料は特に限定されるものではなく、ガラスあるいは透明性にかける金属のどちらの材料によって支持基板１０１を形成してもよい。
【００１９】
自発光素子１０２は、支持基板１０１上に設けられている。本実施の形態１では、自発光パネル１００の表示面側から見た際に、実際に自発光素子１０２が形成されている領域を表示エリアとする（図２参照）。たとえば、自発光パネル１００が、単一の自発光素子１０２を備える場合、単一の自発光素子１０２の発光面が表示エリアとなる。また、たとえば、自発光パネル１００が、複数の自発光素子１０２を備える場合、複数の自発光素子１０２を全てカバーする領域が表示エリアとなる。この表示エリアにおいては、たとえば、情報などの表示が行われる。
【００２０】
本実施の形態１の自発光素子１０２は、有機ＥＬ素子によって実現されている。特に図示を省略するが、有機ＥＬ素子は、電極対と電極対に挟持された有機層とを積層した構造を有している。有機層は、各種機能を有する層を複数積層した構造を有している。このような有機ＥＬ素子においては、「下部電極（陽極）／正孔注入層／正孔輸送層／有機ＥＬ発光層／電子輸送層／電子注入層／上部電極（陰極）」という順序で積層された構造が一般的である。
【００２１】
有機ＥＬ素子における各層は、いずれも、単一の有機材料で形成されてもよいし、複数の材料を混ぜ合わせることによって形成されていてもよいし（混合層）、高分子バインダーの中に有機系あるいは無機系の機能材料を分散させたものでもよい。なお、機能材料としては、電荷輸送機能、発光機能、電荷ブロッキング機能、光学機能などがある。
【００２２】
また、有機ＥＬ素子における各層には、発光層がダメージを受けないようにするためのバッファ機能を有する層が含まれていてもよい。バッファ機能を有する層を設けることは、発光層の上側への電極形成に際してスパッタ法を用いる場合に特に有効である。バッファ機能を有する層は、たとえば、ＳｉＯ2（二酸化珪素）、ＴｉＯ2（酸化チタン）などによって形成することができる。
【００２３】
たとえば、アルカリ成分を有するガラスによって支持基板１０１を形成した場合、バッファ機能を有する層は、ガラスに含有される不純元素（アルカリ金属、Ｃａ、Ｎａなど）の浸透を遮断するために用いる。この他、有機ＥＬ素子における各層には、発光層の成膜プロセスによって発生する発光層表面の凹凸を干渉するための平坦化機能を有する層が含まれていてもよい。
【００２４】
加えて、有機ＥＬ素子は、発光層の上側に位置する電極を陽極とし、発光層の下側に位置する電極を陰極としたものや、複数の層によって発光層を構成したもの、発光色の異なる複数の発光層を積層させたもの（ＳＯＬＥＤ：Ｓｔａｃｋｅｄ  ＯＬＥＤ）、カソードとアノードの間に電荷発生層を介在させたもの（マルチフォトン素子）、正孔輸送層等の層を省略したものや複数積層させたもの、有機層１層のみの素子構成のもの（各機能層を連続的に形成させる、層境界をなくしたもの）などであってもよい。
【００２５】
具体例として、下部電極を陽極とする場合、陽極には、たとえば、ＩＴＯ（インジウム−スズ酸化物）、ＩＺＯ（インジウム−亜鉛酸化物）などを用いることができる。同様に、上部電極を陰極とする場合、陰極には、たとえば、Ｃｒ（クロム）、Ａｌ（アルミニウム）、Ａｇ（銀）などを用いる。最も好適な有機ＥＬ素子の一例としては、支持基板１０１にはガラスを用い、陽極にはＩＴＯを用い、陰極にはＡｌを用いた構造がある。
【００２６】
複数の発光色を呈する自発光パネルに有機ＥＬ素子を自発光素子１０２として用いる場合、有機層を各画素の発光色に対応させた、多様なパターンに形成することが可能である。また、有機層の成膜に際しては、正孔輸送層や電子輸送層などを、発光色に対応した膜厚にして成膜を行ってもよい。なお、本実施の形態は、有機ＥＬ素子の構成を限定するものではない。
【００２７】
特に図示を省略するが、表示エリア内に複数の自発光素子１０２を備える自発光パネルでは、各自発光素子１０２をそれぞれ絶縁する絶縁膜を、各自発光素子１０２の間に設けてもよい。このような絶縁膜は、各自発光素子１０２が備える電極対のうち、少なくとも一方の電極が、自発光素子１０２毎に絶縁されるように設けられていればよい。
【００２８】
封止基材１０３は、一方に開口およびこの開口につづく凹部が設けられた箱形状を有している。封止基材１０３は、開口を支持基板１０１に向けて支持基板１０１に対向配置されている。封止基材１０３は、支持基板１０１上に設けられた自発光素子１０２を覆うように設けられている。支持基板１０１上に複数の自発光素子１０２が設けられた自発光パネル１００の場合、封止基材１０３は、支持基板１０１上に設けられた全ての自発光素子１０２を覆うように設けられる。
【００２９】
封止基材１０３を形成する材料としては、ソーダガラス、鉛ガラス、硬質ガラスなどのガラス基材、ポリエチレン、ポリプロピレン、ポリエチレンテレフタレート、ポリメチルメタクリレートなどのプラスチック基材、アルミニウム、ステンレスなどの金属基材などの各種の材料を用いることができる。封止基材１０３を形成する材料は、自発光素子１０２の構成に応じて適宜好適な材料を選択することが可能である。
【００３０】
封止基材１０３は、自発光素子１０２がＴｏｐ  Ｅｍｉｓｓｉｏｎ構造あるいはＴＯＬＥＤ構造の有機ＥＬ素子である場合には、透明性が高い材料を用いることに加えて、高透過率を有する厚さに設定することが好適である。これに対し、自発光素子１０２がＢｏｔｔｏｍ  Ｅｍｉｓｓｉｏｎ構造の有機ＥＬ素子である場合には、透明性にかける金属材料などを、封止基材１０３を形成する材料として用いてもよい。封止基材１０３には、自発光素子１０２に対向する位置に乾燥剤１０４が設けられている。
【００３１】
封止基材１０３は、接着剤１０５を介して支持基板１０１に接着されている。ここに、支持基板１０１と封止基材１０３と接着剤１０５とによって、自発光素子１０３を外気から遮断する封止領域としての封止空間１０６が形成されている。支持基板１０１と封止基材１０３とを、接着領域に塗布された接着剤１０５を介して接着することにより、自発光素子１０２を劣化させる劣化因子に対する自発光素子１０２の保護性能を、表示エリアの周囲に亘って向上させることができる。
【００３２】
接着剤１０５としては公知の各種の接着剤を用いることが可能であるが、本実施の形態１では、紫外線（Ｕｌｔｒａ  Ｖｉｏｌｅｔ）が照射されることによって硬化するＵＶ硬化型樹脂を接着剤１０５として用いる。ＵＶ硬化型樹脂の中でも、ＵＶ硬化型エポキシ樹脂が好ましい。ＵＶ硬化型樹脂を接着剤１０５として用いることにより、支持基板１０１と封止基材１０３とを良好に接着し、封止空間１０６において良好な気密性を確保することができる。
【００３３】
接着剤１０５は、支持基板１０１と封止基材１０３とを接着することは当然ながら、これに加えて、封止空間１０６内へ劣化因子が入り込むことを極力防止することができる材料によって形成されている。本実施の形態１では、支持基板１０１上において、接着剤１０５が塗布される領域によって接着領域（図２参照）が実現されている。接着領域については、詳細を後述する。
【００３４】
なお、自発光パネル１００は、パッシブ駆動型の自発光パネルであってもアクティブ駆動型であってもよい。公知の技術であるため説明を省略するが、パッシブ駆動型の自発光パネル１００においては、複数の陽極によって形成されたデータラインと複数の陰極によって形成された走査ラインとを互いに交差させ、データラインと走査ラインとの交点における自発光素子１０２を選択的に発光させる。同様に、説明を省略するが、アクティブ駆動型の自発光パネル１００においては、各自発光素子１０２にスイッチング素子としてのトランジスタを設け、各自発光素子１０２を個々に発光させる。また、本実施の形態では、気密封止に関する説明を行うが、これに限るものではない。本発明は、膜封止や固体封止を行った自発光パネルにおいても有効である。
【００３５】
図２は、本実施の形態１における自発光パネル１００を示す平面図である。本実施の形態１における自発光パネル１００では、たとえば設計上の都合などによって、支持基板１０１の中心に対して、表示エリア２０１の中心の位置がずれている場合がある。このように、支持基板１０１の中心に対する表示エリア２０１の中心の位置をずらすことにより、支持基板１０１上にたとえば駆動回路などを搭載するスペースを確保することができる。これにより、自発光パネル１００を用いた表示装置全体としての小型化を図ることができる。
【００３６】
本実施の形態１の自発光パネル１００における接着領域２０２は、支持基板１０１上における表示エリア２０１の周囲を囲むように設けられている。本実施の形態１の表示エリア２０１は、多角形状を有する表示エリア２０１である。
【００３７】
接着領域２０２は、表示エリア２０１の形状にしたがって、表示エリア２０１を囲む形状を有している。接着領域２０２は、支持基板１０１上において、表示エリア２０１までの距離が大きいほど表示エリア２０１までの最短距離方向（以下「幅方向」という）に沿った寸法が小さくなるように設定されている。接着領域２０２の幅方向に沿った寸法は、表示エリア２０１の各辺に対応してそれぞれ設定されている。接着領域２０２から表示エリア２０１までの距離は、支持基板１０１上における表示エリア２０１の配置位置によって設定される。
【００３８】
図２中Ａ、Ｂ、Ｃは、それぞれ、表示エリア２０１における各部から接着領域２０２までの距離を示している。図２中ａ、ｂ、ｃは、それぞれ、表示エリア２０１から距離Ａ、Ｂ、Ｃ離れた位置に設けられた接着領域２０２における幅方向に沿った寸法を示している。Ａ、Ｂ、Ｃの関係が、Ａ＜Ｂ＜Ｃである場合、本実施の形態１の自発光パネル１００における接着領域２０２の幅ａ、ｂ、ｃの関係は、ａ＞ｂ＞ｃとされる。
【００３９】
（自発光パネルの製造方法）
特に図示を省略するが、自発光パネル１００の製造に際しては、まず、支持基板１０１の一面側に自発光素子１０２を形成する。このとき形成する自発光素子１０２は、単一であってもよいし、複数であってもよい。公知の技術であるため図示および説明を省略するが、支持基板１０１上への自発光素子１０２の形成に際しては、蒸着法やスパッタ法などを用いて電極（下部電極および上部電極）層や有機層を形成する。
【００４０】
一方で、封止空間１０６を形成するための凹部および開口を備える封止基材１０３を形成する。封止基材１０３の形成に際しては、たとえば、プレス加工、絞り加工、サンドブラスト法あるいはエッチング法などを用いて形成してもよい。
【００４１】
そして、自発光素子１０２が形成された支持基板１０１と、凹部および開口が形成された封止基材１０３とを、表示エリア２０１を覆うようにして貼り合わせる。このとき、支持基板１０１の接着領域２０２には、あらかじめ接着剤１０５を塗布しておく。たとえば、この接着剤１０５の塗布に際して、接着領域２０２の幅の広さを調整することが可能である。接着領域２０２の幅の広さは、たとえばディスペンサによって調整することができる。
【００４２】
そして、接着剤１０５にＵＶ光を照射する。これによって、接着剤１０５において光硬化反応が生じ接着剤１０５が硬化する。このように、互いに貼り合わせられた支持基板１０１および封止基材１０３が、接着剤１０５を介して接着される。また、上述の方法の他に、たとえば、この接着剤１０５の硬化後に、接着領域２０２の幅の広さを調整することが可能である。このとき、接着領域２０２の幅の広さは、たとえば表示装置スクライブによって調整することができる。以上の工程を経ることによって、自発光パネル１００が形成される。
【００４３】
ところで、外気などに含まれる劣化因子の一つである水分は、接着剤１０５中を伝わって封止空間１０６内に入り込むと、そのまま支持基板１０１の表面を伝わって自発光素子１０２に到達する。劣化因子は、表示エリア２０１に対する場所の違いに拘わらず、接着剤１０５中を伝わって封止空間１０６内に入り込んだ場所から表示エリア２０１までの距離が近いほど早く表示エリア２０１に伝わる。
【００４４】
劣化因子が接着剤１０５中を伝わって封止空間１０６内に入り込む確率が、接着領域２０２全域に亘って等しいと仮定するならば、封止空間１０６内に入り込んだ劣化因子による自発光素子１０２への影響は、接着領域２０２までの距離が短いほど受け易くなる。言い換えれば、接着領域２０２から表示エリア２０１までの距離が長いほど、劣化因子の影響を受け難くなる。なお、劣化因子としては、外気に含まれる水分の他に、光や外気に含まれる酸素などがある。
【００４５】
一方で、上述したように、接着剤１０５は、封止空間１０６内へ劣化因子が入り込むことを極力防止することができる材料によって形成されている。このため、劣化因子が接着剤１０５中を伝わる速度は、劣化因子が支持基板１０１の表面を伝わる速度よりも遅い。
【００４６】
上記には、接着剤１０５を塗布する接着領域２０２の幅を予め調整する方法を説明したが、これに限るものではない。たとえば、従来技術と同様に、接着剤１０５を塗布する接着領域２０２を全て均等の幅で形成し、接着剤１０５の硬化後に自発光パネル１００をスクライブ・切断する際に、接着領域２０２の幅を設計しても良い。自発光パネル１００のスクライブ・切断には、たとえばカッターなどを利用する。このように、接着領域２０２の形状の調整は、支持基板１０１と封止基材１０３とを接着する前であってもよく、支持基板１０１と封止基材１０３とを接着した後であってもよい。
【００４７】
以上説明したように、本実施の形態１の自発光パネル１００によれば、支持基板１０１上において表示エリア２０１までの距離が大きい場所については、接着領域２０２における幅方向に沿った寸法を小さくし、狭額縁化を図ることができる。
【００４８】
狭額縁化によって支持基板１０１上にスペースを確保することができるので、確保されたスペースに、たとえば自発光素子１０２の発光を制御する駆動回路（図示省略）などを搭載することができる。これによって自発光パネル１００および自発光パネル１００を用いた表示装置（図示省略）全体の小型化を図ることができる。これによって、劣化因子が伝わることによる発光性能の低下を抑制するとともに、自発光パネル１００の小型化を図ることができる。
【００４９】
逆に、接着領域２０２から表示エリア２０１までの距離が短い場所については、接着領域２０２における幅方向に沿った寸法を大きくし、封止空間１０６内への劣化因子の入り込み防止を図ることができる。これによって、小型化を図るために支持基板１０１上において表示エリア２０１までの距離を長く確保できない場合にも、封止空間１０６内への劣化因子の入り込み自体を防止して、劣化因子が伝わることによる発光性能の低下を抑制することができる。
【００５０】
また、本実施の形態１のように、表示エリア２０１が多角形状を有する場合には、表示エリア２０１の各辺に対応して、接着領域２０２の幅方向に沿った寸法をそれぞれ設定することで、表示エリア２０１の端部全域に亘って接着領域２０２までの距離を測定することなく、接着領域２０２の幅方向に沿った寸法を設定することができる。これによって、たとえば、自発光パネル１００の設計段階などにおいて接着領域２０２の幅方向に沿った寸法を設定する作業の容易化を図ることができる。
【００５１】
（実施の形態２）
（自発光パネルの概略構成）
図３は、本実施の形態２における自発光パネルを示す平面図である。上述した実施の形態１で示した自発光パネル１００と同一部分は同一符号で示し、説明も省略する。本実施の形態２における自発光パネル３００は、円形の支持基板３０１と、この支持基板３０１に設けられた自発光素子１０２によって構成される円形の表示エリア３０２と、を備えている。表示エリア３０２に設けられる自発光素子１０２は、単一であってもよいし、複数であってもよい。表示エリア３０２の中心は、支持基板３０１の中心に対してずれた位置に設けられている。
【００５２】
図３中Ｄ、Ｅは、それぞれ、表示エリア３０２における各部から接着領域３０３までの距離を示している。図２中ｄ、ｅは、それぞれ、表示エリア３０２から距離Ｄ、Ｅだけ離れた位置に設けられた接着領域３０３における幅方向に沿った寸法を示している。Ｄ、Ｅの関係が、Ｄ＞Ｅである場合、本実施の形態１の自発光パネル３００における接着領域３０３の幅寸法ｄ、ｅの関係は、ｄ＜ｅとされる。図３においては、表示エリア３０２から接着領域３０３までの距離がＤ、Ｅである部分についてのみ記載されているが、接着領域３０３の幅寸法は、表示エリア３０２の周囲全域に亘って同様にして設定されている。
【００５３】
図３に示すように、表示エリア３０２、接着領域３０３あるいはその両方が、曲線によって表される形状である場合、接着領域３０３から表示エリア３０２までの距離が緩やかに変化する。このような場合も、上述した実施の形態１の場合と同様に、表示エリア３０２の端部からの最短距離に基づいて、接着領域３０３における幅方向の寸法を設定する。ただし、接着領域３０３から表示エリア３０２までの距離が緩やかに変化するため、結果として得られる接着領域３０３の形状も、緩やかに変化する曲線によって変化される形状となる。
【００５４】
以上説明したように、本実施の形態２における自発光パネル３００によれば、外形が曲線によって表される形状を有する表示エリア３０２であっても、表示エリア３０２の端部からの最短距離に基づいて接着領域３０３における幅方向に沿った寸法が設定される。これによって、表示エリア３０２の形状に左右されることなく、劣化因子が伝わることによる発光性能の低下を抑制するとともに、自発光パネル３００の小型化を図ることができる。
【００５５】
なお、表示エリアおよび接着領域の形状は、四角形状（実施の形態１参照）および円形（実施の形態２参照）に限るものではない。また、図示を省略するが、表示エリアおよび接着領域の形状は、２次元形状に限るものではなく、球面や局面などのように３次元形状であってもよい。
【００５６】
さらに、表示エリアの形状と接着領域の形状とが揃っているものに限るものではない。図示を省略するが、たとえば、四角形状の支持基板上に円形状の表示エリアが設けられた自発光パネルにおいては、支持基板の大きさや形状および支持基板に搭載すべき駆動回路の大きさや数や形状などに応じて、接着領域の形状を調整してもよい。これによって、上述した実施の形態の効果を奏する自発光パネルを、より柔軟に設計することができる。
【図面の簡単な説明】
【００５７】
【図１】本実施の形態１における自発光パネルを示す縦断側面図である。
【図２】本実施の形態１における自発光パネルを示す平面図である。
【図３】本実施の形態２における自発光パネルを示す平面図である。
【符号の説明】
【００５８】
１００  自発光パネル
１０１  支持基板
１０２  自発光素子
１０３  封止基材
１０５  接着剤
１０６  封止空間
２０１  表示エリア
２０２  接着領域
３００  自発光パネル
３０１  支持基板
３０２  表示エリア
【図１】
2006244773.tif 000003
【図２】
2006244773.tif 000004
【図３】
2006244773.tif 000005